(57)【要約】      （修正有）【課題】ガード部の有無にかかわらず、足や腕などを円滑に剃ることができる安全カミソリを提供する。【解決手段】ハンドル１の上部に刃装置３を有する安全カミソリであって、刃装置３に対して可動の皮膚接触部材として、少なくとも一方が円柱状ローラーである先導皮膚接触部１８と後続皮膚接触部２０を設け、かつこのローラーの表面をシービングエイドで構成することで、顔のみならず、足や腕の毛をも円滑に剃れるようにする。【選択図】図１
2006204668.tif 000002
【特許請求の範囲】
【請求項１】
ハンドルの上部に刃装置を有する安全カミソリであって、前記刃装置に対して可動の皮膚接触部材を含み、前記刃装置はその長さ方向に延びる刃体を有し、該刃体の前方で刃体と平行に延びる先導皮膚接触部が前記皮膚接触部材に設けられ、安全カミソリの使用中に、前記先導皮膚接触部が刃体の前で刃体に対して揺動可能となるように皮膚接触部材がハンドル又は刃装置に取り付けられていることを特徴とする安全カミソリ
【請求項２】
ハンドルの上部に刃装置を有する安全カミソリであって、前記刃装置に対して可動の皮膚接触部材を含み、前記刃装置はその長さ方向に延びる刃体を有し、該刃体の後方で刃体と平行に延びる後続皮膚接触部が前記皮膚接触部材に設けられ、安全カミソリの使用中に、前記後続皮膚接触部が刃体の後で刃体に対して揺動可能となるように皮膚接触部材がハンドル又は刃装置に取り付けられていることを特徴とする安全カミソリ
【請求項３】
ハンドルの上部に刃装置を有する安全カミソリであって、前記刃装置に対して可動の皮膚接触部材を含み、前記刃装置は横方向に延びる刃体を有し、該刃体の前方で刃体と平行に延びる先導皮膚接触部及び前記刃体の後方で刃体と平行に延びる後続皮膚接触部が前記皮膚接触部材に設けられ、安全カミソリの使用中に、前記先導皮膚接触部と前記後続皮膚接触部が刃体の前後で刃体に対して揺動可能となるように皮膚接触部材がハンドル又は刃装置に取り付けられていることを特徴とする安全カミソリ
【請求項４】
刃装置は、ハンドルと別体に形成されて替刃を構成し、この替刃をハンドルに着脱自在に取り付けるための結合構造を有し、且つ皮膚接触部材がハンドル又は刃装置に取り付けられている請求項１乃至請求項３記載の安全カミソリ
【請求項５】
皮膚接触部材は、先導皮膚接触部と後続皮膚接触部を連結部で一体的に連結して構成され、先導皮膚接触部と後続皮膚接触部が一体的に揺動する請求項３又は請求項４記載の安全カミソリ
【請求項６】
皮膚接触部材は、先導皮膚接触部と後続皮膚接触部と１又は２つの連結部で構成され前記刃装置の周囲を囲んでいる請求項５記載の安全カミソリ
【請求項７】
皮膚接触部材が、刃体の長さ方向に延びる揺動軸線を中心に揺動することにより、各皮膚接触部が刃体に対して揺動する請求項１乃至請求項６記載の安全カミソリ
【請求項８】
揺動軸線が前記連結部の中心乃至その付近を通り、皮膚接触部材全体が揺動軸線を中心とするシーソー運動状に揺動する請求項５又は請求項６記載の安全カミソリ
【請求項９】
皮膚接触部材が刃装置に対して上下に移動可能で、その移動範囲の上端及び下端で前記皮膚接触部材の上下の移動を固定するための手段を備えている請求項３乃至請求項８記載の安全カミソリ
【請求項１０】
皮膚接触部材は、接続体を介してハンドル又は刃装置に取り付けられ、該接続体は刃装置に対して相対的に上下に移動可能であってその移動範囲の上端及び下端で固定するための手段を有し、皮膚接触部材が前記接続体に対して揺動可能にジャーナル結合され、その結合によって皮膚接触部材が揺動可能で且つ接続体と共に上下に移動可能である請求項９記載の安全カミソリ
【請求項１１】
刃装置と接続体と皮膚接触部材が一体的に組み合わされて替刃を構成し、この替刃をハンドルに着脱自在に取り付けるための結合構造を有する請求項１０記載の安全カミソリ
【請求項１２】
刃装置の頭部上面は弧状に形成され、頭部に少なくとも１枚の刃体が装着されており、皮膚接触部材が上下に移動可能であるときは上端の位置にあるとき、皮膚接触部材の揺動中に、先導皮膚接触部の最も高い位置と後続皮膚接触部の最も高い位置を結ぶ共通接線に対する前記頭部の突出量はマイナス１．２ｍｍ以上プラス１．２ｍｍ以下である請求項３乃至請求項１１記載の安全カミソリ
【請求項１３】
先導皮膚接触部又は後続皮膚接触部の少なくとも一方の表面に窓部が設けられ、皮膚接触部の内部に装着された回動体の一部が前記窓部から覗いている請求項１乃至請求項１２記載の安全カミソリ
【請求項１４】
窓部は複数個設けられ、各窓部から覗く各回転体は単一の軸で一体に連結されており一体的に回動する請求項１３記載の安全カミソリ
【請求項１５】
先導皮膚接触部又は後続皮膚接触部の少なくとも一方は円柱状ローラーであって回動可能に皮膚接触部材に結合され、該ローラーの表面はシェービングエイドで構成されている請求項１乃至請求項１４記載の安全カミソリ
【発明の詳細な説明】
【技術分野】
【０００１】
本発明は安全カミソリに関する。主に女性用として開発されたもので、顔のほか足や腕の毛を剃ることに向いている安全カミソリに関する。
【背景技術】
【０００２】
従来から皮膚接触部材が刃装置に対して移動可能に取り付けられた安全カミソリは存在する（例えば、特許文献１参照。）。
【特許文献１】実公昭５８−５１８９７号公報
【発明の開示】
【発明が解決しようとする課題】
【０００３】
本発明は、特に足や腕の毛を円滑に剃ることを課題とする。また、女性が使用するときに皮膚に鋭い刃が当たることの恐怖感をやわらげることを課題とする。皮膚接触部材の一種であるガード部材が刃装置に対して移動可能である安全カミソリは前記特許文献１に記載されている。通常の安全カミソリはガード部が固定されている。特許文献１の安全カミソリは、係止装置によってガード部材の移動を段階的に変えることができるものであって、使用前にガード部材をあらかじめ希望する位置に固定して使用する。したがって、ガード部材が使用中に自動的に移動することはなく、一度設定した位置で使用し続けることになる。
【０００４】
また、特許文献１に記載の安全カミソリはヒゲ剃り専用である。この安全カミソリも含めて、通常の安全カミソリは刃先の前方にガード部を有しており、このガード部によってヒゲ剃り時における剃り角度が決定される。剃り角度とは、刃先からガード部の表面に引いた接線と、刃体表面とのなす角度をいう。特許文献１のガード部は移動可能であるが使用中は固定されており、ガード部が固定された通常の安全カミソリのガード部と同じ作用をするのである。近年、このような安全カミソリのガード部に使用時に皮膚の滑りを良くするためのシェービングエイドが形成されている。従来の安全カミソリのガード部は細く幅が狭く形成されている。その理由は、ガード部を太く幅広に形成すると、ガード部の前縁付近に皮膚が当たったときに、幅広のガード部の前縁付近部分が邪魔をして刃先が皮膚に届かないのである。したがって、従来はガード部は幅広でなかった。そして、幅の狭いガード部にシェービングエイドを形成するのであるから、使用時においてシェービングエイドが溶け出して皮膚上に供給される量はさほど多くない。ヒゲ剃りは顔の一部を剃るのであるからそのような比較的少ない供給であっても十分である。
【０００５】
しかし、足や腕などの皮膚の広い部分を剃るときはそのような少ない供給量では十分な円滑性を得ることができない。そこで本発明は、安全カミソリが従来のガード部を有しているかいないかにかかわらず、従来のガード部と構成が異なる皮膚接触部材を設け、使用時にシェービングエイドを十分に供給することができるようにして、足や腕などを円滑に剃ることができることを目的とする。
【０００６】
また、前方に刃先が延びるカミソリは鋭い刃先が露出しているので恐怖感を覚える使用者が存在する。安全カミソリは、その恐怖感をやわらげ安全に使用できるようにしたもので、その役目を果たすのが安全カミソリに設けられた従来から存在するガード部である。しかし、それでも女性が足や腕などを剃るときは恐怖感を覚える場合がある。そこで本発明は、ガード部を設けない安全カミソリであっても、あるいはガード部を有する安全カミソリであってもさらに、皮膚接触部材を設けて恐怖感を減じることを目的とする。
【課題を解決するための手段】
【０００７】
次に本発明の請求項１の構成を説明すると、ハンドルの上部に刃装置を有する安全カミソリであって、前記刃装置に対して可動の皮膚接触部材を含み、前記刃装置はその長さ方向に延びる刃体を有し、該刃体の前方で刃体と平行に延びる先導皮膚接触部が前記皮膚接触部材に設けられ、安全カミソリの使用中に、前記先導皮膚接触部が刃体の前で刃体に対して揺動可能となるように皮膚接触部材がハンドル又は刃装置に取り付けられている構成である。
【０００８】
請求項２は、ハンドルの上部に刃装置を有する安全カミソリであって、前記刃装置に対して可動の皮膚接触部材を含み、前記刃装置はその長さ方向に延びる刃体を有し、該刃体の後方で刃体と平行に延びる後続皮膚接触部が前記皮膚接触部材に設けられ、安全カミソリの使用中に、前記後続皮膚接触部が刃体の後で刃体に対して揺動可能となるように皮膚接触部材がハンドル又は刃装置に取り付けられている構成である。
【０００９】
請求項３は、ハンドルの上部に刃装置を有する安全カミソリであって、前記刃装置に対して可動の皮膚接触部材を含み、前記刃装置は横方向に延びる刃体を有し、該刃体の前方で刃体と平行に延びる先導皮膚接触部及び前記刃体の後方で刃体と平行に延びる後続皮膚接触部が前記皮膚接触部材に設けられ、安全カミソリの使用中に、前記先導皮膚接触部と前記後続皮膚接触部が刃体の前後で刃体に対して揺動可能となるように皮膚接触部材がハンドル又は刃装置に取り付けられている構成である。
【００１０】
請求項４は、刃装置は、ハンドルと別体に形成されて替刃を構成し、この替刃をハンドルに着脱自在に取り付けるための結合構造を有し、且つ皮膚接触部材がハンドル又は刃装置に取り付けられている要素が請求項１乃至請求項３に付加されている構成である。
【００１１】
請求項５は、皮膚接触部材は、先導皮膚接触部と後続皮膚接触部を連結部で一体的に連結して構成され、先導皮膚接触部と後続皮膚接触部が一体的に揺動する要素が請求項３又は請求項４に付加された構成である。
【００１２】
請求項６は、皮膚接触部材が、先導皮膚接触部と後続皮膚接触部と１又は２つの連結部で構成され前記刃装置の周囲を囲んでいる要素が請求項５に付加された構成である。
【００１３】
請求項７は、皮膚接触部材が、刃体の長さ方向に延びる揺動軸線を中心に揺動することにより、各皮膚接触部が刃体に対して揺動する要素が請求項１乃至請求項６に付加された構成である。
【００１４】
請求項８は、揺動軸線が前記連結部の中心を通り、皮膚接触部材全体が揺動軸線を中心とするシーソー運動状に揺動する要素が請求項５又は請求項６に付加された構成である。
【００１５】
請求項９は、皮膚接触部材が刃装置に対して上下に移動可能で、その移動範囲の上端及び下端で前記皮膚接触部材の上下の移動を固定するための手段を備えている要素が請求項3乃至請求項８に付加された構成である。
【００１６】
請求項１０は、皮膚接触部材は、接続体を介してハンドル又は刃装置に取り付けられ、該接続体は刃装置に対して相対的に上下に移動可能であってその移動範囲の上端及び下端で固定するための手段を有し、皮膚接触部材が前記接続体に対して揺動可能にジャーナル結合され、その結合によって皮膚接触部材が揺動可能で且つ接続体と共に上下に移動可能である要素が請求項９に付加された構成である。
【００１７】
請求項１１は、刃装置と接続体と皮膚接触部材が一体的に組み合わされて替刃を構成し、この替刃をハンドルに着脱自在に取り付けるための結合構造を有する要素が請求項１０に付加された構成である。
【００１８】
請求項１２は、刃装置の頭部上面が弧状に形成され、頭部に少なくとも１枚の刃体が装着されており、皮膚接触部材が上下に移動可能であるときは上端の位置にあるとき、皮膚接触部材の揺動中に、先導皮膚接触部の最も高い位置と後続皮膚接触部の最も高い位置を結ぶ共通接線に対する前記頭部の突出量はマイナス１．２ｍｍ以上プラス１．２ｍｍ以下である要素が請求項３乃至請求項１１に付加された構成である。
【００１９】
請求項１３は、先導皮膚接触部又は後続皮膚接触部の少なくとも一方の表面に窓部が設けられ、皮膚接触部の内部に装着された回動体の一部が前記窓部から覗いている要素が請求項１乃至請求項１２に付加された構成である。
【００２０】
請求項１４は、窓部が複数個設けられ、各窓部から覗く各回転体は単一の軸で一体に連結されており一体的に回動する要素が請求項１３に付加された構成である。
【００２１】
請求項１５は、先導皮膚接触部又は後続皮膚接触部の少なくとも一方が円柱状ローラーであって回動可能に皮膚接触部材に結合され、該ローラーの表面はシェービングエイドで構成されている要素が請求項１乃至請求項１４に付加された構成である。
【発明の効果】
【００２２】
請求項１は、ハンドルの上部に刃装置を有する安全カミソリであって、刃装置に対して可動の皮膚接触部材を含み、先導皮膚接触部が皮膚接触部材に設けられ、安全カミソリの使用中に、先導皮膚接触部が刃体の前で刃体に対して揺動可能となる構成である。従来の安全カミソリに設けられたガード部は、刃体の前で且つ刃体よりも下方に延在していた。これに対して本発明は、使用中に皮膚に対するハンドルの角度が頻繁に変化しても、その変化に対応して先導皮膚接触部が揺動するのでシェービングエイドがなくても円滑に毛を剃ることができる。また、皮膚の凹凸にも的確に対応して円滑に毛を剃ることができる。さらに、先導皮膚接触部は刃体の前で揺動可能であるから、先導皮膚接触部の幅を広くしても刃体による毛の切断作用を邪魔することがない。したがって、先導皮膚接触部に幅広のシェービングエイドを形成することができる。シェービングエイドを幅広に形成すれば手足のような広い部分の毛を剃るときもシェービングエイドを十分に供給できる。さらに、刃先が常に露出しているので女性の中には恐怖感を覚える人もいた。本発明は、先導皮膚接触部が刃体の前で揺動可能であるから先導皮膚接触部が刃先の正面にかかることが多く、刃先が常に露出することがなく使用者に恐怖感を与えない。
【００２３】
請求項２は、ハンドルの上部に刃装置を有する安全カミソリであって、刃装置に対して可動の皮膚接触部材を含み、後続皮膚接触部が皮膚接触部材に設けられ、安全カミソリの使用中に、後続皮膚接触部が刃体の後ろで刃体に対して揺動可能となる構成である。したがって、請求項１と同じように、使用中に皮膚に対するハンドルの角度が頻繁に変化しても、その変化に対応して後続皮膚接触部が揺動するので円滑に毛を剃ることができる。また、後続皮膚接触部は刃体の後ろで揺動可能であるから、後続皮膚接触部の幅を広くしても刃体による毛の切断作用を邪魔することがない。したがって、後続皮膚接触部に幅広のシェービングエイドを形成することができる。シェービングエイドを幅広に形成すれば手足のような広い部分の毛を剃るときもシェービングエイドを十分に供給できる。
【００２４】
請求項３は、ハンドルの上部に刃装置を有する安全カミソリであって、刃装置に対して可動の皮膚接触部材を含み、先導皮膚接触部と後続皮膚接触部が皮膚接触部材に設けられ、安全カミソリの使用中に、先導皮膚接触部と後続皮膚接触部が刃体の前後で刃体に対して揺動可能となる構成である。したがって、使用中に皮膚に対するハンドルの角度が頻繁に変化しても、その変化に対応して先導皮膚接触部と後続皮膚接触部が揺動するのでシェービングエイドがなくても円滑に毛を剃ることができる。また、先導皮膚接触部は刃体の前で揺動可能であり、後続皮膚接触部は刃体の後ろで揺動可能であるから、両皮膚接触部の幅を広くしても刃体による毛の切断作用を邪魔することがない。したがって、両皮膚接触部に幅広のシェービングエイドを形成することができる。シェービングエイドを幅広に形成すれば手足のような広い部分の毛を剃るときもシェービングエイドを十分に供給できる。さらに、刃先が常に露出しているので女性の中には恐怖感を覚える人もいた。本発明は、先導皮膚接触部が刃体の前で揺動可能であるからその先導皮膚接触部が刃先の正面にかかることが多く、刃先が常に露出することがなく使用者に恐怖感を与えない。また、使用中に片方の皮膚接触部だけが皮膚に当たる場合もあるが両方の皮膚接触部が同時に皮膚に当たることもある。そのときは、毛の切断時には刃装置の前後にある皮膚接触部で皮膚を支持するので安定する。皮膚接触部を幅広にすればさらに安定する。
【００２５】
請求項４は、替刃をハンドルに着脱自在に取り付けるための結合構造を有し、且つ皮膚接触部材がハンドル又は刃装置に取り付けられている。したがって、安全カミソリを替刃式にして前記請求項１から請求項３の効果を得ることができる。
【００２６】
請求項５は、皮膚接触部材が、先導皮膚接触部と後続皮膚接触部を連結部で一体的に連結して構成され、先導皮膚接触部と後続皮膚接触部が一体的に揺動する構成である。したがって、先導皮膚接触部と後続皮膚接触部を有する皮膚接触部材を一体に形成できるので製造が簡単で、ハンドルや刃装置への取り付けも皮膚接触部ごとに行う必要がなく構造が複雑になることがない。
【００２７】
請求項６は、皮膚接触部材が、先導皮膚接触部と後続皮膚接触部と１又は２つの連結部で構成され前記刃装置の周囲を囲んでいる構成である。したがって、連結部を刃装置の外側に取り付ければよいので、皮膚接触部材のハンドルへの取り付けを簡単に行うことができる。
【００２８】
請求項７は、皮膚接触部材が、刃体の長さ方向に延びる揺動軸線を中心に揺動することにより、各皮膚接触部が刃体に対して揺動する構成である。したがって、一方の皮膚接触部が上方に揺動すればそれに対応して他方の皮膚接触部が下方に揺動するので、使用中に双方の皮膚接触部が接近して作業に支障をきたすことを防止できる。
【００２９】
請求項８は、揺動軸線が連結部の中心を通り、皮膚接触部材全体が揺動軸線を中心とするシーソー運動状に揺動する構成である。したがって、先導皮膚接触部と後続皮膚接触部の中心軸は共に刃装置からほぼ等しく離れるので、使用時に双方の皮膚接触部がバランス良く皮膚に当たる。
【００３０】
請求項９は、皮膚接触部材が刃装置に対して上下に移動可能で、その移動範囲の上端及び下端で前記皮膚接触部材の上下の移動を固定するための手段を備えている構成である。したがって、皮膚接触部材を下端に固定したときは刃装置が突出するので、皮膚の凹状部分などの毛を剃るときに皮膚接触部材が邪魔にならない。皮膚接触部材の位置を選択できるから剃る場所に応じて変えることができる。
【００３１】
請求項１０は、皮膚接触部材が、接続体を介してハンドル又は刃装置に取り付けられ、接続体は刃装置に対して相対的に上下に移動可能であってその移動範囲の上端及び下端で固定するための手段を有し、皮膚接触部材が接続体に対して揺動可能にジャーナル結合され、その結合によって皮膚接触部材が揺動可能で且つ接続体と共に上下に移動可能である構成である。皮膚接触部材を直接的にハンドル又は刃装置に取り付けるときは、皮膚接触部材に取り付けのための結合装置のほかに、揺動装置と上下に移動可能にする装置を設けなければならず構造が複雑になる。接続体を使用すれば皮膚接触部材の構造が簡単となるから製造が容易である。
【００３２】
請求項１１は、刃装置と接続体と皮膚接触部材が一体的に組み合わされて替刃を構成し、この替刃をハンドルに着脱自在に取り付けるための結合構造を有する構成である。したがって、刃の切れ味が落ちたときに交換可能であってハンドルを長期間に亘って使用できる。
【００３３】
請求項１２は、刃装置の頭部上面が弧状に形成され、頭部に少なくとも１枚の刃体が装着されており、皮膚接触部材が上下に移動可能であるときは上端の位置にあるとき、皮膚接触部材の揺動中に、先導皮膚接触部の最も高い位置と後続皮膚接触部の最も高い位置を結ぶ共通接線に対する前記頭部の突出量はマイナス１．２ｍｍ以上プラス１．２ｍｍ以下の構成である。頭部の突出量がこのような数値であるときは使用中に頭部が強すぎない力で皮膚に当たる。そして、頭部上面が弧状であるから皮膚の上を円滑に滑る。頭部に複数の刃体を設ければ、皮膚接触部材の揺動中、常時少なくとも１つの刃先を皮膚に接触させておくことができる。
【００３４】
請求項１３は、先導皮膚接触部又は後続皮膚接触部の少なくとも一方の表面に窓部が設けられ、皮膚接触部の内部に装着された回動体の一部が前記窓部から覗いている構成である。使用中、窓部から覗く回動体が皮膚上を転がりながら皮膚を圧迫するのでマッサージ効果を得ることができる。
【００３５】
請求項１４は、窓部が複数個設けられ、各窓部から覗く各回転体は単一の軸で一体に連結されており一体的に回動する構成である。したがって、回転体の回転速度は同じであるから全部の回転体が一様に円滑に回転する。したがって、皮膚接触部が皮膚の上を円滑に滑り、且つ複数の回転体によりマッサージ効果をさらに高めることができる。
【００３６】
請求項１５は、先導皮膚接触部又は後続皮膚接触部の少なくとも一方が円柱状ローラーであって回動可能に皮膚接触部材に結合され、ローラーの表面はシェービングエイドで構成されている構成である。本発明は、使用中に皮膚接触部が揺動する構成である。したがって、皮膚接触部を幅広にしたり太くしたりしても毛の切断作業に支障をきたすことがない。したがって、ローラーを太くすることによって手足のような広い部分の毛を剃るときに、皮膚にシェービングエイドを十分に供給できるので常に円滑な作業をすることができる。
【発明を実施するための最良の形態】
【００３７】
次に本発明を実施するための最良の形態について説明する。この形態の安全カミソリはハンドル1に替刃２を着脱自在に取り付けることのできる替刃式のものである。替刃２は刃装置３と皮膚接触部材４とを含む。図８に示すように刃装置３は、その基台５と別体の刃カートリッジ６とから成り、刃カートリッジ６は基台の両側壁１５，１５の間にはめ込まれており、着脱自在にすることもできる。したがって、刃カートリッジ６のみを交換することができる。この刃カートリッジ６は上面が弧状に形成され、刃カートリッジ６の前から順に３つの刃先１２,１３，１４が覗いている。一番後ろの刃先１４は刃カートリッジの頂部よりも後ろに存在している。中央の刃先１３はほぼ頂部に存在しているが、頂部の前又は後ろに存在してもよい。このように、刃先がひとつの平面上にないので、使用時にすべての刃先が皮膚に接触しない場合がある。刃カートリッジ６が刃装置３の頭部を構成する。本発明において、刃カートリッジ６の上面は弧状のものに限定されることはない。例えば、図１４に示す従来品のように刃台の上に刃体がのせられ、その刃体の上に板状の天板がのせられて、刃体が刃台と天板との間に挟着固定された刃装置であってもよい。このような板状の天板の上面は弧状でなく平坦に形成されていて弧状ではない。
【００３８】
図５に示すように先導皮膚接触部１８の最も高い位置と後続皮膚接触部２０の最も高い位置を結ぶ共通接線４１に対する刃カートリッジ６すなわち頭部の突出量はマイナス１．２ｍｍ以上プラス１．２ｍｍ以下である。図６に示すように、皮膚接触部材４の揺動中もこの数値の範囲内である。刃カートリッジ６の上面を弧状にすることにより、刃カートリッジ６の突出量を揺動中一定にすることができる。
【００３９】
基台５の胴部７は矩形に形成され、その両側面８の中ほどの高さよりやや下の位置にはそれぞれ２つの係止突部９，９が形成されている。この係止突部９，９は弾性片に一体に形成され側面８に没入可能である。基台５の両端面１０の下端よりやや下方にはそれぞれ１つの係止突部１１が形成されている。この係止突部１１は弾性片１６に一体に形成され端面１０よりも中に没入可能である。基台５の底部には結合片１７が一体に形成されている。この結合片１７をハンドル１の上端に設けられた開口部に挿入し、結合片１７の下端に形成された係止突部４３を開口部内の結合構造に係止して替刃２をハンドル１に結合する。図４に示すように係止片１７には矢印が表示されているが、これは係止片１７の差込み方向を示すものである。
【００４０】
皮膚接触部材４は矩形の枠状に形成されており、先導皮膚接触部１８に円柱状のローラー２５が回動可能に取り付けられている。このローラー２５の表面にはシェービングエイドが形成されている。シェービングエイドには、例えば香料、化粧水、乳液、止血剤、毛成長抑制剤、脱毛剤、髭軟化剤、植物性女性ホルモン様成分、吸水発熱剤などが添加される。具体的には、ビタミンＡ、ビタミンＣ、ハイドロキノン、アルファ-アルブチン、コラーゲン、レチノイン酸、セラミド、ヒアルロン酸、リピジュア、アミノ酸、大豆エキス（フラボステロン）、パパイヤエキス（パパイン酵素）、イソフラボン、アロエベラエキス、ヒオウギエキス、オトギリソウエキス、スギナエキス、レモンエキス、海藻エキス、オウゴンエキス、センブリエキス、チョウジエキス、カンゾウエキス、サンショウエキス、ジオウエキス、ニンジンエキス、ローズマリーエキス、ラカンマキエキス、アマチャズルエキス、ヘンナ葉エキス、紫根エキス、ホップエキス、ヨクイニンエキス、米胚芽エキス等を０．０５〜１０重量％添加することができる。これらを添加することにより、美肌効果、保湿効果、毛成長抑制や脱毛効果が付与される。このようなシェービングエイドを形成したローラー２５を成形する方法としては、射出成形及び押出し成形が可能で、芯に硬質樹脂を設ける場合は射出の２回成形や、同時押出し成形により芯材の周囲をシェービングエイドで覆うこともできる。また、ローラー２５の表面の長手方向に複数の溝１９が形成されており、使用時にローラー２５の回動を容易にすることができるので、シェービングエイドが全面的に均一に消耗する。溝１９に代えてリブを設けてもよい。円柱形ローラー２５の直径は好ましくは７．５ｍｍ前後であるがこの数値に限定されないことは勿論である。３ｍｍ〜４ｍｍ、４ｍｍ〜７．５ｍｍでもよく、７．５ｍｍ〜１０ｍｍ程度であってもよい。この数値は従来のガード部よりもかなり大きな数値であり、足や腕などのように広い部分を剃るときにシェービングエイドを十分に供給することができる。
【００４１】
ローラー２５を形成するものとしては、金属、硬質樹脂、エラストマーなどの柔軟な樹脂、軽石のような硬質の多孔質体、スポンジのような柔軟な多孔質体が用いられる。多孔質体の場合は、固形、半流動状又は液状のシェービングエイドを含浸することもできる。シェービングエイドを含浸することにより、ローラー２５の表面にシェービングエイドが形成される。このようなローラー２５を刃装置３の後ろに設けてもよい。ローラー２５に代えて回転しない平坦なシェービングエイド面を設けてもよい。
【００４２】
後続皮膚接触部２０はその上面が皮膚接触面２１に形成されている。この皮膚接触面２１は曲率半径が８ｍｍ以上の緩やかな曲面に形成されている。曲率半径は好ましくは１２ｍｍから２０ｍｍであるが、１０ｍｍでもよく２２ｍｍや２４ｍｍでもよくそれ以上であってもよい。曲面でなく平坦であってもよい。後続皮膚接触部２０の前後方向の幅は約７．５ｍｍである。皮膚接触部材４の前後方向の幅は約２８．５ｍｍであり、刃カートリッジ６の前後方向の幅は約１０．５ｍｍである。このことからも、前述した先導皮膚接触部１８に取り付けられたローラー２５や後続皮膚接触部２０の前後幅が刃カートリッジ６の前後幅に対して大きな割合を有していることが理解できる。
【００４３】
前記皮膚接触面２１には３つの窓部が設けられており、それぞれの窓部２２から円板状ローラー２３が覗いている。これら３つの円板状ローラー２３は１本の軸で連結されており、皮膚接触面２１の下でジャーナル結合されている。円板状ローラー２３の材料としては硬質樹脂のほか金属などであってもよい。複数の円板状ローラー２３をすべて同じ材料で形成してもよく、異なる材料を組み合わせてもよい。円板状ローラー２３に代えてボールをコイルスプリングなどで支持して窓部２２から覗かせてもよい。
【００４４】
皮膚接触面２１の両端付近には孔部２４，２４が設けられている。孔部２４，２４の内側に固形石鹸が収納されている。シェービングエイドに添加される成分として段落「００４０」に挙げた成分をこの固形石鹸に添加してもよい。これら円板状ローラー２３や固形石鹸は存在しなくてもよく、いずれか一方のみ存在してもよい。これらの代わりに、使用中に皮膚との接触を円滑にできる他の手段を用いてもよい。
【００４５】
前記先導皮膚接触部１８と後続皮膚接触部２０のそれぞれの端部同士は連結部２６，２６で一体に連結されて皮膚接触部材４は全体的に矩形の枠状に形成されている。連結部２６は上下の幅が狭く形成され、その両端部に設けられた先導皮膚接触部１８と後続皮膚接触部２０は連結部２６よりも上方に延びている。したがって、図５に示すように皮膚接触部材４はコ字形をなしている。コ字形であるから、皮膚接触部材４が揺動したときにコ字形の中にある刃装置３に皮膚接触部材４の一部が当たって揺動が一定の角度で規制される。後述するように皮膚接触部材４が刃装置３に対して下方に移動したときも同様である。連結部２６の中央下部に軸受け部２７が一体に設けられ、その内面にジャーナル軸受け（図示せず。）が形成されている。
【００４６】
刃装置３に皮膚接触部材４を結合するための接続体２８が枠状の皮膚接触部材４の枠内に取り付けられている。図９又は図１０に示すように接続体２８は矩形の枠状に形成され、接続体２８の両側部の外面にジャーナル軸４２，４２が設けられ、このジャーナル軸４２，４２が連結部２６，２６の軸受け部２７に形成されているジャーナル軸受けとジャーナル結合している。接続体２８はこのジャーナル結合によりジャーナル軸線を中心にシーソーのように揺動する。揺動軸線は刃体よりも下方に存在する。
【００４７】
図１０に示すように、接続体２８の枠内に刃装置の基台５の胴部７が移動可能に嵌挿する。接続体２８は胴部７に対して上下に移動可能で、移動範囲の上端位置と下端位置で固定される。固定手段は、基台５の側面８に設けられた係止突部９，９と端面１０に設けられた係止突部１１である。接続体２８が上端位置にあるときは、接続体２８の下端縁が係止突部９，９に係止して下がることがなくその位置で固定される。
【００４８】
接続体２８を下端位置まで移動させるために接続体２８を下方に引くと、接続体２８が係止突部９を側面８内に押し込みながら下降する。接続体２８が係止突部９を完全に乗り越えたときに、接続体２８の下端縁は係止突部１１に係止する。そのとき、接続体２８の上端縁は元の位置に復帰した係止突部９，９によって係止され上方にずれることはなく固定される。本発明の皮膚接触部材はこのように上下に移動する構成のものに限定されるものではなく、刃装置３に対し上下方向には固定的に設けられたものでもよい。特に、皮膚接触部材４を刃装置３に対し上下方向に固定的に設けたときは、これらの間に弾性部材を介在させることによって、皮膚接触部材４が弾性的に揺動するものとすることができる。また、弾性部材を刃装置の前後に設けたときは皮膚接触部材４の初期位置は水平であり、弾性部材を片側に設けたときは皮膚接触部材４が他方に揺動した状態の初期位置となる。なお、皮膚接触部材４の前後が入れ替わって、前述した先導皮膚接触部１８の構造を後続皮膚接触部２０の構造とし、後続皮膚接触部２０の構造を先導皮膚接触部１８の構造としてもよい。なお、刃装置と皮膚接触部材は皮膚に直接接触する部材である。これらは、赤色の色彩以外の色にすることが好ましい。安全カミソリの使用の前後に、これらの部材に血液が付着しているときに部材が赤色であると血液を確認しづらいからである。また、これらの部材を赤色にすると血液を連想して、露出した刃先と相俟って使用者に対して恐怖感を与えかねないからである。例えば、白色、緑色、水色あるいは淡いピンク色であれば血液の付着をすぐに確認できるし、恐怖感を与えることがない。
【００４９】
図１２に示すローラー２９は前述したローラー２５に代えて使用ことができる。すなわち、先導皮膚接触部１８又は後続皮膚接触部２０に軸３０を中心に回動可能に取り付けて使用する。このローラー２９は長さ方向に延びる軸３０の周囲に多数の円板状の櫛歯３１を並べて設けてある。この櫛歯３１によって手足の毛をそるときにマッサージ作用をなす。さらに、手足の長めの毛や髪の毛を切断するときに櫛歯３１が毛を梳きながら切断するので、毛をむらなく切断できる。このローラー２９は図面に示した安全カミソリに使用できるが、さらにローラー２９が刃体に対して揺動不能に固定され回動のみする安全カミソリとして使用できる。また、替刃式の安全カミソリでなく、ハンドルの上端に刃装置が一体的に設けられた安全カミソリであっても使用できる。ローラー２９は主にプラスチックで形成されるが金属等の他の材料であってもよい。また、ローラー２９の表面にシェービングエイドを形成してもよい。なお、各櫛歯３１の間隔は１ｍｍ〜１０ｍｍが好ましく、各櫛歯３１の厚みは０．５ｍｍ〜５ｍｍが好ましく、各櫛歯３１の直径は３ｍｍ〜１６ｍｍが好ましい。櫛歯の直径と厚みの比率については、直径は厚みの２倍以上であることが好ましい。各櫛歯の間隔は櫛歯の厚みよりも広いことが好ましい。
【００５０】
図１３に示すように替刃２はケース３２に収納することができる。ケース３２は矩形に形成された２つの収納部３３，３３を一体に連結したもので全体が一体成形である。替刃２は収納部３３に逆さに収納される。収納部３３の端面３４の内面に係止突部３５が形成され、基台の側壁１５の下端縁３６がその係止突部３５に係止して替刃２の自然の抜け出しを防止する。側壁１５の下端縁３６は図１１に示す替刃のキャップ３７を係止する作用もなす。図１１に示すように替刃２にはキャップ３７を装着できる。キャップ３７の端面の内面に係止突部（図示せず。）が形成され、キャップ３７を替刃２に装着したときにその係止突部が側壁１５の下端縁３６に係止する。
【００５１】
ケース３２のそれぞれの収納部３３に蓋３８が設けられている。蓋３８はヒンジ３９で収納部３３の壁と一体に結合し、ヒンジ３９を中心に回動することにより開閉される。蓋３８のヒンジ３９と反対側の下縁に係止部４０が設けられ、蓋３８を閉じたときにこの係止部４０が収納部３３の壁の外側に設けられた係止部に係止する。
【図面の簡単な説明】
【００５２】
【図１】本発明の側面図
【図２】替刃の上面図
【図３】替刃の底面図
【図４】替刃の後面図
【図５】替刃の側面図
【図６】替刃の皮膚接触部材の揺動状態図
【図７】替刃の皮膚接触部材の上下移動図
【図８】刃装置の斜視図
【図９】皮膚接触部材と接続体を組み合わせた斜視図
【図１０】刃装置の前面図
【図１１】替刃にキャップを装着した斜視図
【図１２】ローラーの他の実施例を示す斜視図
【図１３】替刃のケースの断面図
【図１４】他の刃装置を使用した模式図
【符号の説明】
【００５３】
１  ハンドル
２  替刃
３  刃装置
４  皮膚接触部材
５  基台
６  刃カートリッジ
７  胴部
８  基台の側面
９  係止突部
１０  端面
１１  係止突部
１２  刃先
１３  刃先
１４  刃先
１５  側壁
１６  弾性片
１７  結合片
１８  先導皮膚接触部
１９  溝
２０  後続皮膚接触部
２１  皮膚接触面
２２  窓部
２３  円板状ローラー
２４  孔部
２５  ローラー
２６  連結部
２７  軸受け部
２８  接続体
２９  ローラー
３０  軸
３１  櫛歯
３２  ケース
３３  収納部
３４  端面
３５  係止突部
３６  下端縁
３７  キャップ
３８  蓋
３９  ヒンジ
４０  係止部
４１  共通接線
４２  ジャーナル軸
４３  係止突部
【図１】
2006204668.tif 000003
【図２】
2006204668.tif 000004
【図３】
2006204668.tif 000005
【図４】
2006204668.tif 000006
【図５】
2006204668.tif 000007
【図６】
2006204668.tif 000008
【図７】
2006204668.tif 000009
【図８】
2006204668.tif 000010
【図９】
2006204668.tif 000011
【図１０】
2006204668.tif 000012
【図１１】
2006204668.tif 000013
【図１２】
2006204668.tif 000014
【図１３】
2006204668.tif 000015
【図１４】
2006204668.tif 000016